(57)【要約】【課題】適切な音色をより簡単な操作で設定可能な電子音響装置および音色設定方法を提供する。【解決手段】所定の機能の不実行時に、設定操作子４の操作ごとに予め定められた第１の代表音色と予め定められた第２の代表音色とが音色設定部８４により交互に設定される。所定の機能の実行時に、予め定められた第３の代表音色が音色設定部８４により設定される。発音指示信号に応答して、音色設定部８４により設定された音色を有する音響信号が音源回路１６により生成される。【選択図】図２
2018146682.tif 000002
【特許請求の範囲】
【請求項１】
音色の設定を予め定められた第１または第２の代表音色に切り替えるための設定操作子と、
所定の機能の実行時に、予め定められた第３の代表音色を設定し、前記所定の機能の不実行時に、前記設定操作子の操作ごとに前記第１の代表音色と前記第２の代表音色とを交互に設定する音色設定手段と、
発音指示信号に応答して、前記音色設定手段により設定された音色を有する音響信号を生成する生成手段とを備えた、電子音響装置。
【請求項２】
前記所定の機能は、練習機能を含み、
前記音色設定手段は、前記練習機能の実行時に予め定められた音色を前記第３の代表音色として設定する、請求項１記載の電子音響装置。
【請求項３】
前記所定の機能は、自動伴奏機能を含み、
前記音色設定手段は、前記自動伴奏機能の実行時に自動伴奏音の種類に応じてそれぞれ定められた音色を前記第３の代表音色として設定する、請求項１または２記載の電子音響装置。
【請求項４】
前記所定の機能は、自動設定機能を含み、
前記音色設定手段は、前記自動設定機能の実行時に演奏曲の種類に応じてそれぞれ定められた音色を前記第３の代表音色として設定する、請求項１〜３のいずれか一項に記載の電子音響装置。
【請求項５】
電子音響装置における所定の機能の不実行時に、設定操作子の操作ごとに予め定められた第１の代表音色と予め定められた第２の代表音色とを交互に設定し、前記所定の機能の実行時に、予め定められた第３の代表音色を設定するステップと、
発音指示信号に応答して、設定された音色を有する音響信号を生成するステップとを含む、音色設定方法。
【発明の詳細な説明】
【技術分野】
【０００１】
本発明は、音色を設定する電子音響装置および音色設定方法に関する。
【背景技術】
【０００２】
電子音響装置においては、設定された音色を有する音響信号が生成される。非特許文献１には、種々の音色を音響信号に設定可能な電子キーボードが記載されている。なお、非特許文献１のｐｄｆファイルは、ＵＲＬアドレス（http://download.yamaha.com/api/asset/file/?language=fr&site=fr.yamaha.com&asset_id=67660）から取得可能である。
【０００３】
非特許文献１の電子キーボードにおいては、使用者は、特定のボタンを操作することにより、複数の音色カテゴリのいずれかを選択し、選択された音色カテゴリの第１番目の音色を設定することができる。また、音色カテゴリが選択された状態で他のボタンを操作することにより、使用者は、当該音色カテゴリに属する他の番数の音色を任意に選択し、設定することができる。
【先行技術文献】
【非特許文献】
【０００４】
【非特許文献１】２０１６ヤマハ株式会社（2016 Yamaha Corporation）、「ＰＳＲ-Ａ３５０オーナーズマニュアル（PSR-A350 Owner's Manual）」、２０１６年３月、ｐ．１６
【発明の概要】
【発明が解決しようとする課題】
【０００５】
使用者は、電子音響装置の使用状態または電子音響装置が実行する機能に応じて適切な音色を適宜選択し、音響信号に設定する。しかしながら、非特許文献１の電子キーボードにおいては、音色を選択するための操作が煩雑である。そのため、適切な音色をより簡単な操作で設定可能な電子音響装置が望まれる。
【０００６】
本発明の目的は、適切な音色をより簡単な操作で設定可能な電子音響装置および音色設定方法を提供することである。
【課題を解決するための手段】
【０００７】
本発明に係る電子音響装置は、音色の設定を予め定められた第１または第２の代表音色に切り替えるための設定操作子と、所定の機能の実行時に、予め定められた第３の代表音色を設定し、所定の機能の不実行時に、設定操作子の操作ごとに第１の代表音色と第２の代表音色とを交互に設定する音色設定手段と、発音指示信号に応答して、音色設定手段により設定された音色を有する音響信号を生成する生成手段とを備える。
【０００８】
この電子音響装置においては、使用者は、所定の機能の不実行時に、設定操作子を操作するごとに設定される音色を第１の代表音色と第２の代表音色とで交互に切り替えることができる。これにより、使用者は、電子音響装置の使用状態に応じて第１および第２の代表音色のうちより適切な音色を判断し、設定することができる。一方で、所定の機能の実行時には当該機能に対応する第３の代表音色が設定されるので、使用者は煩雑な操作を行う必要がない。これらの結果、より適切な音色を簡単な操作で設定することができる。
【０００９】
所定の機能は、練習機能を含み、音色設定手段は、練習機能の実行時に予め定められた音色を第３の代表音色として設定してもよい。この場合、練習機能の実行時に、練習機能に適した第３の代表音色を煩雑な操作を行うことなく容易に設定することができる。
【００１０】
所定の機能は、自動伴奏機能を含み、音色設定手段は、自動伴奏機能の実行時に自動伴奏音の種類に応じてそれぞれ定められた音色を第３の代表音色として設定してもよい。この場合、自動伴奏機能の実行時に、自動伴奏機能に適した第３の代表音色を煩雑な操作を行うことなく容易に設定することができる。
【００１１】
所定の機能は、自動設定機能を含み、音色設定手段は、自動設定機能の実行時に演奏曲の種類に応じてそれぞれ定められた音色を第３の代表音色として設定してもよい。この場合、自動設定機能の実行時に、自動設定機能に適した第３の代表音色を煩雑な操作を行うことなく容易に設定することができる。
【００１２】
本発明に係る音色設定方法は、電子音響装置における所定の機能の不実行時に、設定操作子の操作ごとに予め定められた第１の代表音色と予め定められた第２の代表音色とを交互に設定し、所定の機能の実行時に、予め定められた第３の代表音色を設定するステップと、発音指示信号に応答して、設定された音色を有する音響信号を生成するステップとを含む。この音色設定方法によれば、適切な音色をより簡単な操作で設定することができる。
【発明の効果】
【００１３】
本発明によれば、適切な音色をより簡単な操作で設定することができる。
【図面の簡単な説明】
【００１４】
【図１】本発明の一実施の形態に係る電子音響装置の構成を示すブロック図である。
【図２】図１の音色設定制御部の機能的な構成を示すブロック図である。
【図３】伴奏スタイルのカテゴリと第３の代表音色との対応関係の一例を示す図である。
【図４】音色設定制御部により行われる音色設定処理を示すフローチャートである。
【図５】音色設定制御部により行われる音色設定処理を示すフローチャートである。
【図６】音色設定処理により設定される音色の例を示す図である。
【発明を実施するための形態】
【００１５】
以下、本発明の実施の形態に係る電子音響装置および音色設定方法について図面を用いて詳細に説明する。
【００１６】
（１）電子音響装置の構成
図１は本発明の一実施の形態に係る電子音響装置の構成を示すブロック図である。図１に示すように、電子音響装置１は、演奏操作子２、検出回路３、設定操作子４、検出回路５、ディスプレイ６および表示回路７を備える。
【００１７】
演奏操作子２は、鍵盤またはドラムパッド等を含む。演奏操作子２は、検出回路３を介してバス１８に接続され、使用者の演奏動作に基づく演奏データが演奏操作子２により入力される。設定操作子４は、オンオフ操作されるスイッチ、回転操作されるロータリエンコーダ、またはスライド操作されるリニアエンコーダ等を含み、検出回路５を介してバス１８に接続される。この設定操作子４は、音色の切り替え、音量の調整、電源のオンオフおよび各種設定を行うために用いられる。
【００１８】
ディスプレイ６は、表示回路７を介してバス１８に接続される。ディスプレイ６には、楽曲名、楽譜、またはその他の各種情報が表示される。ディスプレイ６がタッチパネルディスプレイであってもよい。この場合、使用者は、ディスプレイ６を操作することにより各種操作を指示することができる。
【００１９】
電子音響装置１は、ＲＡＭ（ランダムアクセスメモリ）９、ＲＯＭ（リードオンリメモリ）１０、ＣＰＵ（中央演算処理装置）１１、タイマ１２、記憶装置１３および通信Ｉ／Ｆ（インタフェース）１４をさらに備える。ＲＡＭ９、ＲＯＭ１０、ＣＰＵ１１、記憶装置１３および通信Ｉ／Ｆ１４はバス１８に接続され、タイマ１２はＣＰＵ１１に接続される。外部記憶装置１５等の外部機器が通信Ｉ／Ｆ１４を介してバス１８に接続されてもよい。ＲＡＭ９、ＲＯＭ１０およびＣＰＵ１１が音色設定制御部８を構成する。
【００２０】
ＲＡＭ９は、例えば揮発性メモリからなり、ＣＰＵ１１の作業領域として用いられるとともに、各種データを一時的に記憶する。ＲＯＭ１０は、例えば不揮発性メモリからなり、制御プログラムおよび音色設定プログラム等のコンピュータプログラムを記憶する。ＣＰＵ１１は、ＲＯＭ１０に記憶された音色設定プログラムをＲＡＭ９上で実行することにより後述する音色設定処理を行う。タイマ１２は、現在時刻等の時間情報をＣＰＵ１１に与える。
【００２１】
記憶装置１３は、ハードディスク、光学ディスク、磁気ディスクまたはメモリカード等の記憶媒体を含む。この記憶装置１３には、一または複数の楽曲データが記憶される。楽曲データは、曲を表す音響信号（オーディオデータ）である。ここで、音響信号は、音の波形を表すサンプリングデータ列である。演奏操作子２から入力される演奏データに基づいて楽曲データが生成され、記憶装置１３に記憶されてもよい。演奏データおよび楽曲データは、発音指示信号を含む。
【００２２】
上記の音色設定プログラムが記憶装置１３に記憶されてもよい。外部記憶装置１５は、記憶装置１３と同様に、ハードディスク、光学ディスク、磁気ディスクまたはメモリカード等の記憶媒体を含み、楽曲データ等の各種データまたは音色設定プログラムを記憶してもよい。なお、本実施の形態における音色設定プログラムは、コンピュータが読み取り可能な記録媒体に格納された形態で提供され、ＲＯＭ１０または記憶装置１３にインストールされてもよい。また、通信Ｉ／Ｆ１４が通信網に接続されている場合、通信網に接続されたサーバから配信された音色設定プログラムがＲＯＭ１０または記憶装置１３にインストールされてもよい。
【００２３】
電子音響装置１は、音源回路１６およびサウンドシステム１７をさらに備える。音源回路１６はバス１８に接続され、サウンドシステム１７は音源回路１６に接続される。音源回路１６は、演奏操作子２から入力される演奏データまたは記憶装置１３から与えられる楽曲データ等に基づいて音響信号を生成するとともにその音響信号に音響効果を付与する。サウンドシステム１７は、Ｄ／Ａ（デジタル／アナログ）変換回路、増幅器およびスピーカを含み、音源回路１６から与えられる音響信号に基づく楽音を発生する。
【００２４】
（２）音色設定制御部８の機能的な構成
図２は図１の音色設定制御部８の機能的な構成を示すブロック図である。図２に示すように、音色設定制御部８は、機能選択部８１、音色切替部８２、音色取得部８３、音色設定部８４および処理部８５を含む。図１のＣＰＵ１１がＲＯＭ１０または記憶装置１３に記憶された音色設定プログラムを実行することにより図２の音色設定制御部８の各部の機能が実現される。
【００２５】
機能選択部８１は、設定操作子４の操作に基づいて、電子音響装置１において実行する所定の機能（以下、特定機能と呼ぶ。）を選択する。特定機能は、例えば練習機能および自動伴奏機能を含む。ここで、練習機能は、練習用の楽曲の進行に合わせて操作すべき演奏操作子２をガイドすることにより、楽曲の演奏を使用者に習得させるための機能である。自動伴奏機能は、伴奏スタイルのカテゴリに対応して設けられた伴奏データと与えられたコードとに基づいて伴奏音を自動的に出力する機能である。
【００２６】
音色切替部８２は、特定機能が実行されないとき（特定機能の不実行時）には、設定操作子４が操作されるごとに予め定められた第１の代表音色と予め定められた第２の代表音色との間で音源回路１６に設定されるべき音色を切り替える。本実施の形態では、特定機能が実行されないときとは、練習機能および自動伴奏機能を用いない通常の演奏時をいう。
【００２７】
ここで、中東、インドまたは中国等の民族音楽を演奏する場合、使用者には、民族楽器の音色が好まれることがある。したがって、本実施の形態では、第１の代表音色として音色カテゴリ「オリエンタル」の第１番目の音色（例えば「ウード音色」）が予め定められる。一方で、演奏の経験が少ない使用者には、発音開始の認識が容易であること、他のパートの再生中でも聴き分けが容易であること、およびなじみがあること等の理由から、演奏音の認識が容易な「ピアノ音色」が好まれることがある。したがって、本実施の形態では、第２の代表音色として「ピアノ音色」が予め定められる。
【００２８】
音色取得部８３は、特定機能の実行時に音源回路１６に設定されるべき第３の代表音色と当該特定機能の種類との対応関係を予め記憶している。音色取得部８３は、特定機能の実行時に、記憶された対応関係に基づいて当該特定機能に対応する第３の代表音色を取得する。練習機能の実行時においては、第３の代表音色は、例えば「ピアノ音色」である。自動伴奏機能の実行時においては、第３の代表音色は、伴奏スタイルのカテゴリに対応する音色カテゴリの第１番目の音色である。
【００２９】
図３は伴奏スタイルのカテゴリと第３の代表音色との対応関係の一例を示す図である。図３の例では、伴奏スタイルのカテゴリが「アラビック」である場合、音色カテゴリ「オリエンタル」の第１番目の音色である「ウード音色」が第３の代表音色に該当する。伴奏スタイルのカテゴリが「バラード」である場合、音色カテゴリ「ピアノ」の第１番目の音色である「グランドピアノ音色」が第３の代表音色に該当する。伴奏スタイルのカテゴリと第３の代表音色との対応関係は、図３の例に限定されず、所定の法則により他の対応関係が決定されてもよい。
【００３０】
図２の音色設定部８４は、使用者による設定操作子４の操作に基づいて、任意の音色を設定する。練習用の楽曲データには、音色を指定するための音色指定情報が含まれる。音色設定部８４は、処理部８５により練習用の楽曲データが取得された場合には、当該楽曲データの音色指定情報により指定された音色を設定する。
【００３１】
また、音色設定部８４は、使用者による設定操作子４の操作に基づいて、音色切替部８２により切り替えられた第１もしくは第２の代表音色、または音色取得部８３により取得された第３の代表音色を設定する。したがって、特定機能の実行時に設定操作子４が操作されると、第３の代表音色が設定され、特定機能の不実行時に設定操作子４が操作されると、操作ごとに設定される音色が第１の代表音色と第２の代表音色との間で切り替わる。
【００３２】
処理部８５は、特定機能を実行するための種々の処理を行う。具体的には、機能選択部８１により練習機能が選択された場合、処理部８５は、設定操作子４の操作に基づいて練習用の楽曲データを記憶装置１３から取得し、取得した楽曲の進行に合わせて操作すべき演奏操作子２をガイドする。機能選択部８１により自動伴奏機能が選択された場合、処理部８５は、設定操作子４の操作に基づいて伴奏データを記憶装置１３から取得するとともに演奏操作子２からコードを取得する。
【００３３】
演奏操作子２が鍵盤である場合、処理部８５は、音色の設定が変更されることに伴い鍵盤に割り当てられるスケールを変更してもよい。例えば、処理部８５は、平均律により定められるスケールを特定の民族音楽に適する他のスケールに変更してもよい。また、処理部８５は、音色の設定が変更されることに伴いピッチベンド時のピッチの変化幅を調整してもよい。
【００３４】
音源回路１６は、例えば演奏操作子２により与えられる発音指示信号に応答して、音色設定部８４により設定された音色を有する音響信号を生成する。また、音源回路１６は、自動伴奏機能の実行時に、処理部８５により取得された伴奏データおよびコードに基づいて伴奏用の音響信号を生成する。
【００３５】
（３）音色設定処理
図４および図５は音色設定制御部８により行われる音色設定処理を示すフローチャートである。図６は音色設定処理により設定される音色の例を示す図である。図４および図５の音色設定処理は、図１のＣＰＵ１１がＲＯＭ１０または記憶装置１３に記憶された音色設定プログラムを実行することにより行われる。
【００３６】
まず、音色設定部８４は、使用者による設定操作子４の操作に基づいて音色が指示されたか否かを判定する（ステップＳ１）。音色が指示されない場合、音色設定部８４はステップＳ３に進む。この場合、現時点の音色の設定が維持される。なお、初期時点において、使用者が音色を指示しない場合、既定の音色の設定が維持される。一方、ステップＳ１で音色が指示された場合、音色設定部８４は、指示された音色を設定する（ステップＳ２）。
【００３７】
次に、処理部８５は、機能選択部８１により練習機能が選択されたか否かを判定する（ステップＳ３）。練習機能が選択されない場合、処理部８５はステップＳ６に進む。練習機能が選択された場合、処理部８５は、自動伴奏機能を不実行にするとともに（ステップＳ４）、練習機能を実行する（ステップＳ５）。
【００３８】
次に、処理部８５は、使用者による設定操作子４の操作に基づいて練習用の楽曲が選択されたか否かを判定する（ステップＳ６）。楽曲が選択されない場合、処理部８５はステップＳ９に進む。楽曲が選択された場合、処理部８５は、記憶装置１３から選択された楽曲を示す楽曲データを取得する（ステップＳ７）。音色設定部８４は、処理部８５により取得された楽曲データの音色指定情報に基づいて音色を設定する（ステップＳ８）。
【００３９】
次に、処理部８５は、使用者による設定操作子４の操作に基づいて自動伴奏データが選択されたか否かを判定する（ステップＳ９）。自動伴奏データが選択されない場合、処理部８５はステップＳ１３に進む。自動伴奏データが選択された場合、処理部８５は、記憶装置１３から選択された自動伴奏データを取得する（ステップＳ１０）。また、処理部８５は、練習機能を不実行にするとともに（ステップＳ１１）、自動伴奏機能を実行する（ステップＳ１２）。
【００４０】
次に、音色設定部８４は、使用者により設定操作子４が操作されたか否かを判定する（ステップＳ１３）。設定操作子４が操作された場合、音色設定部８４は、自動伴奏機能が実行中であるか否かを判定する（ステップＳ１４）。自動伴奏機能が実行中である場合、音色設定部８４は、自動伴奏機能に対応して音色取得部８３により取得された第３の代表音色を設定する（ステップＳ１５）。本実施の形態では、図６に示すように、第３の代表音色として伴奏スタイルのカテゴリに対応する音色カテゴリの第１番目の音色（例えば「ウード音色」）が設定される。
【００４１】
自動伴奏機能が実行中でない場合、音色設定部８４は、練習機能が実行中であるか否かを判定する（ステップＳ１６）。練習機能が実行中である場合、音色設定部８４は、練習機能に対応して音色取得部８３により取得された第３の代表音色を設定する（ステップＳ１７）。本実施の形態では、図６に示すように、第３の代表音色として例えば「ピアノ音色」）が設定される。
【００４２】
練習機能が実行中でない場合、音色設定部８４は、第１の代表音色が設定されているか否かを判定する（ステップＳ１８）。第１の代表音色が設定されていない場合、音色設定部８４は、音色切替部８２により第１の代表音色を設定する（ステップＳ１９）。本実施の形態では、図６に示すように、第１の代表音色として音色カテゴリ「オリエンタル」の第１番目の音色（例えば「ウード音色」）が設定される。第１の代表音色が設定されている場合、音色設定部８４は、音色切替部８２により第２の代表音色を設定する（ステップＳ２０）。本実施の形態では、図６に示すように、第２の代表音色として「ピアノ音色」が設定される。
【００４３】
ステップＳ１３で設定操作子４が操作されない場合、またはステップＳ１５，Ｓ１７，Ｓ１９，Ｓ２０のいずれかが実行された後、処理部８５は、他の操作が受け付けられたか否かを判定する（ステップＳ２１）。他の操作は、演奏、音量の調整、楽曲データの取得または録音等のための種々の操作を含む。操作が受け付けられた場合、処理部８５は、操作に対応する処理を実行する（ステップＳ２２）。ステップＳ２１で操作が受け付けられない場合、またはステップＳ２２が実行された後、処理部８５はステップＳ１に戻る。
【００４４】
（４）効果
本実施の形態に係る電子音響装置１においては、使用者は、特定機能の不実行時に、設定操作子４を操作するごとに設定される音色を第１の代表音色と第２の代表音色とで交互に切り替えることができる。これにより、使用者は、電子音響装置１の使用状態に応じて第１および第２の代表音色のうちより適切な音色を判断し、設定することができる。一方で、特定機能の実行時には当該特定機能に対応する第３の代表音色が設定されるので、使用者は煩雑な操作を行う必要がない。これらの結果、より適切な音色を簡単な操作で設定することができる。
【００４５】
（５）他の実施の形態
（ａ）上記実施の形態において、電子音響装置１において実行される特定機能は練習機能および自動伴奏機能を含むが、本発明はこれに限定されない。特定機能は、これらの機能に加えて、またはこれらの機能に代えて他の機能を含んでもよい。他の機能は、例えば、自動設定機能またはアルペジオ機能を含んでもよい。
【００４６】
自動設定機能は、演奏曲の種類に応じてそれぞれ定められた音色を第３の代表音色として設定する機能である。アルペジオ機能は、演奏操作子２の操作に基づいて分散和音を発生させる機能である。自動設定機能の実行時には、設定操作子４が操作されるごとに各音色カテゴリの第１番目の音色が第３の代表音色として順次設定されてもよい。
【００４７】
また、複数の特定機能が同時に実行可能であってもよい。例えば、練習機能と自動設定機能とが同時に実行される場合、演奏曲により定められる番数の「ピアノ音色」が第３の代表音色として設定されてもよい。あるいは、自動伴奏機能と自動設定機能とが同時に実行される場合、第３の代表音色は、伴奏スタイルのカテゴリに対応する音色カテゴリに属しかつ演奏曲により定められる番数の音色が第３の代表音色として設定されてもよい。
【００４８】
（ｂ）上記実施の形態において、特定機能の実行時に設定操作子４が操作されることに応じて第３の代表音色が設定されるが、本発明はこれに限定されない。設定操作子４が操作されない場合でも、特定機能が実行されることに応じて第３の代表音色が設定されてもよい。
【００４９】
（ｃ）上記実施の形態では、図２の音色設定制御部８がＣＰＵ１１等のハードウエアおよび音色設定プログラム等のソフトウエアにより実現されるが、音色設定制御部８の各構成要素が電子回路等のハードウエアにより実現されてもよい。
【００５０】
（６）請求項の各構成要素と実施の形態の各部との対応
以下、請求項の各構成要素と実施の形態の各部との対応の例について説明するが、本発明は下記の例に限定されない。請求項の各構成要素として、請求項に記載されている構成または機能を有する他の種々の要素を用いることができる。
【００５１】
上記実施の形態では、音色設定部８４が音色設定手段の例であり、音源回路１６が生成手段の例である。
【符号の説明】
【００５２】
１…電子音響装置，２…演奏操作子，３，５…検出回路，４…設定操作子，６…ディスプレイ，７…表示回路，８…音色設定制御部，９…ＲＡＭ，１０…ＲＯＭ，１１…ＣＰＵ，１２…タイマ，１３…記憶装置，１４…通信Ｉ／Ｆ，１５…外部記憶装置，１６…音源回路，１７…サウンドシステム，１８…バス，８１…機能選択部，８２…音色切替部，８３…音色取得部，８４…音色設定部，８５…処理部
【図１】
2018146682.tif 000003
【図２】
2018146682.tif 000004
【図３】
2018146682.tif 000005
【図４】
2018146682.tif 000006
【図５】
2018146682.tif 000007
【図６】
2018146682.tif 000008